【事件の表示】
　特願２０１２−１４５７８５「擁壁用ブロック」拒絶査定不服審判事件〔平成２６年　１月２０日出願公開、特開２０１４−　　９４７３〕について、次のとおり審決する。
【結　論】
　本件審判の請求は、成り立たない。
【理　由】
第１　手続の経緯　
　本願は平成２４年６月２８日の出願であって、平成２５年１月３０日付けで拒絶査定がなされ、これに対して平成２５年５月７日に拒絶査定不服審判請求がなされると同時に手続補正がなされたものである。
　
　
第２　平成２５年５月７日付け手続補正の却下の決定
　
〔補正の却下の決定の結論〕
　平成２５年５月７日付け手続補正を却下する。
　
〔理由〕
１　本件補正の内容
（１）平成２５年５月７日付け手続補正（以下「本件補正」という。）は、特許請求の範囲及び発明の詳細な説明についてするものであって、特許請求の範囲については、本件補正前の請求項１に、
「上部が後方に傾斜した横長の長方形の板状の前壁と、前壁後面の左半部の中間及び右半部の中間から後方に突き出た左右の垂直な扶壁と、左右の垂直な扶壁の後端の下部間を連結した補強梁を有する擁壁用ブロックからなり、該擁壁用ブロックの前壁、扶壁及び補強梁はコンクリートにより形成の薄型部材からなり、該扶壁に配設の前壁と平行な向きに貫通の大穴と、該前壁に配設の下半部に貫通の水抜き孔と、左右の垂直な扶壁の後端の上部及び扶壁の後端の下部に配設の補強梁に小孔をそれぞれ複数有し、該小孔にインサートを埋設し、この埋設したインサートに後方へ延びる棒状のセパレータの先端を挿着し、該セパレータの後部に該横長の長方形の板状の前壁と平行で、かつ、該長方形の板状の前壁と合同の形状の剛性を有するポリプロピレン複合板からなる裏型枠を有していることを特徴とする擁壁用ブロック。」とあったものを、
「上部が後方に傾斜した横長の長方形の板状の前壁と、前壁後面の左半部の中間及び右半部の中間から後方に突き出た左右の垂直な扶壁と、左右の垂直な扶壁の後端の下部間を連結した補強梁を有する擁壁用ブロックからなり、該擁壁用ブロックの前壁、扶壁及び補強梁はコンクリートにより形成の薄型部材からなり、該扶壁に配設の前壁と平行な向きに貫通の大穴と、該前壁に配設の下半部に貫通の水抜き孔と、左右の垂直な扶壁の後端の上部及び扶壁の後端の下部に配設の補強梁に小孔をそれぞれ複数有し、該小孔にインサートを埋設し、この埋設したインサートに後方へ延びる棒状のセパレータの先端を挿着し、該セパレータの後部に該横長の長方形の板状の前壁と平行で、かつ、該長方形の板状の前壁と合同の形状の剛性を有するポリプロピレン複合板からなる
埋め残し用
　
（２）本件補正後の請求項１に係る上記（１）の補正は、本件補正前の請求項１に係る発明を特定するために必要な事項である「裏型枠」に関し、「埋め残し用」との限定を加えるものである。
　
２　補正の目的
　本件補正後の請求項１に係る本件補正は、上記１（２）のとおり、本件補正前の請求項１に係る発明を特定するために必要な事項を限定するものであり、かつ、補正前の請求項１に記載された発明と補正後の請求項１に記載された発明の産業上の利用分野及び解決しようとする課題が同一であるので、本件補正は、特許法第１７条の２第５項第２号に掲げる特許請求の範囲の減縮を目的とする補正事項を含むものである。
　そこで、本件補正後の請求項１に係る発明（以下「本件補正発明」という。）が、特許出願の際独立して特許を受けることができるものであるか（特許法第１７条の２第６項において準用する同法第１２６条第７項の規定に適合するか）について以下検討する。
　
３　引用例
（１）原審の拒絶の理由で引用された、本願の出願日前に頒布された刊行物である特開平１１−２９９４５号公報（以下「引用例１」という。）には、図面と共に次の事項が記載されている。（下線は当審で付した。以下同様。）
　ア　「【特許請求の範囲】
【請求項１】  
上部が後方に傾斜した方形板状の前壁と、前壁後面の左右から後方に垂直に突設する左右の扶壁と、左右の扶壁の後端下部間に連結した補強梁とからなり、前壁、扶壁及び補強梁はコンクリートにより薄型部材に形成し、扶壁に大穴を前壁と平行に貫通させ、前壁の下端部に水抜き孔を貫通し、左右の扶壁の後端面にはセパレータ挿着用のインサート埋設用の複数の小孔を上下に形成した
擁壁用ブロック
【請求項２】  
左右の扶壁は前壁左右端から前壁の横長さの４分の１の長さまでの中央よりの任意の位置に突設している
　
　イ　「【発明の詳細な説明】
【０００１】
【発明の属する技術分野】本発明は、スピード土留めプレハブ工法に使用するコンクリートからなる擁壁用ブロック及び該ブロックを用いた擁壁施工法に関するものである。」
　
　ウ　「【０００９】
【発明が解決しようとする課題】本発明は、以上のような問題を解決し、擁壁施工の作業能率及び安全性を向上できるスピード土留めプレハブ工法に使用する擁壁用ブロック及びこの擁壁用ブロックを用いた擁壁施工法を提供することである。」
　
　エ　「【００１６】
【発明の実施の形態】図１〜図３に、発明の実施の一形態を示す。図１の（ａ）は擁壁用ブロックの正面側から見た斜視図で、（ｂ）は（ａ）の擁壁用ブロックの背面側から見た斜視図である。図２の（１）〜（３）及び図３の（４）と（５）は番号順に図１の擁壁用ブロックを用いた擁壁施工法の各工程を示す説明図である。
【００１７】擁壁用ブロック１はコンクリート製で、図１の（ａ）及び（ｂ）に示すように、前壁２、左右一対の扶壁３及び補強梁４からなる。前壁２は上方になるに連れて後方に傾斜した
長方形板状
【００１８】擁壁用ブロック１は練り積み擁壁用として従来の擁壁用ブロックに比して壁厚が薄い。このため、従来の擁壁用ブロックに比して大幅に軽量化されている。また扶壁３の中央部にはそれぞれ２個の
大穴１１
左右の扶壁３の後端面１９にはセパレータ挿着用インサートを埋め込むための小孔２０をそれぞれ上中下の３か所に形成
【００１９】・・・（省略）・・・
【００２０】擁壁用ブロック１を用いた擁壁施工法の工程を、図２の（１）〜（３）と図３の（４）と（５）に番号順に示した。本施工法は、擁壁施工現場近くの安全な場所において、図２の（１）に示すような擁壁用ブロック１に裏型枠２４と水抜きパイプ２５を取り付けた仮組立体２１を予め形成する。具体的には、
擁壁用ブロック１の扶壁３の後端面１９の小孔２０にインサート２２を埋設し、インサート２２に裏型枠２４の控え距離に合わせたセパレータ２３を取り付け、そのセパレータ２３の後端に裏型枠２４を取り付け加工
擁壁用ブロック１に裏型枠２４を前壁２の化粧面と所定間隔を開けて平行に取り付け
また前壁２下方の水抜き孔１２と該水抜き孔１２より上方に位置する裏型枠２４に貫設した水抜き孔とを水抜きパイプ２５で連結し、裏込砕石部の水抜きを形成
裏型枠２４と水抜き付の擁壁用ブロック１である仮組立体２１が形成でき
【００２１】
次に
仮組立体２１を法面２６の前方に設けた基礎２７に化粧面を前方に向けて据え付け
その後、
擁壁用ブロック１内にコンクリートを胴込めし、かつ、擁壁用ブロック１と裏型枠２４の間にコンクリート２８を打設し、裏型枠２４と法面２６の間に裏込砕石２９を投入
この工程により擁壁用ブロック１の１段分の擁壁が完成
裏型枠２４を撤去せず埋設して埋め捨てとする
【００２２】１段分の擁壁用ブロック１の据え付け終了後、図３の（４）に示すように、
その上にさらに２段目の仮組立体２１ａを化粧面を揃えて据え付け
この状態で２段目の仮組立体２１ａの裏型枠２４ａは、１段目の仮組立体２１の裏型枠２４と同一面を形成
その後、擁壁用ブロック１、１ａと裏型枠２４、２４ａとの間にコンクリート２８ａを打設し、裏型枠２４、２４ａと法面２６との間に裏込砕石２９ａを充填することで２段分の擁壁が完成
このように同様の作業を順次上段に繰り返すことで任意の高さの擁壁を施工できる
【００２３】上述の工程により擁壁を施工するので、使用する
裏型枠２４、２４ａ
耐腐食性で
強度があ
加工が容易で
軽量であ
　
　オ　「【００２５】
【発明の効果】以上説明したとおり、請求項１の発明の擁壁用ブロックによれば、擁壁用ブロックは各部分を薄型部材に形成し、底版を無くしたので、従来のものと比較して大幅な軽量化を図ることができる。擁壁用ブロックの軽量化は施工の容易性及び安全性をもたらし、原材料費の低価格化を図ることができる。左右の扶壁の後端面にはセパレータ装入用インサートを埋め込むための複数の小孔を上下に形成したので、小孔にインサートを埋め込み、このインサートと裏型枠とに控え長さに合わせたセパレータを連結することができる。従って、擁壁用ブロックは請求項２に記載の擁壁施工法に使用する擁壁用ブロックとして最適である。
【００２６】請求項２の発明の擁壁用ブロックによれば、左右に隣接する擁壁用ブロックとの扶壁間にコンクリートを十分に充填する余地があるので、コンクリート硬化時左右の擁壁用ブロック同士はより強固に一体化し完成した擁壁の強度が増す。」
　
　カ　【図１】（ａ）（ｂ）を参照すると、前壁２は、横長の長方形の板状のものであることが、また左右の扶壁３の後端面１９の上中下の３か所に形成された小孔２０のうち、一番下の小孔２０は、補強梁４の近傍で補強梁４と同じ高さにあることが、それぞれみてとれる。
　
　キ　上記アないしカからみて、引用例１には以下の発明（以下、「引用発明１」という。）が記載されているものと認める。
「上部が後方に傾斜した横長の長方形板状の前壁２と、前壁後面の左右から後方に垂直に突設する左右の扶壁３と、左右の扶壁３の後端下部間に連結した補強梁４とからなり、前壁２、扶壁３及び補強梁４はコンクリートにより薄型部材に形成し、扶壁３に大穴１１を前壁２と平行に貫通させ、前壁２の下端部に水抜き孔１２を貫通し、左右の扶壁３の後端面１９にはセパレータ挿着用の複数の小孔２０を上下に形成した擁壁用ブロックにおいて、
　左右の扶壁３は前壁２左右端から前壁２の横長さの４分の１の長さまでの中央よりの任意の位置に突設し、
　また扶壁３の後端面１９にはセパレータ挿着用インサートを埋め込むための小孔２０をそれぞれ上中下の３か所に形成され、一番下の小孔２０は、補強梁４の近傍で補強梁４と同じ高さにあり、
　擁壁用ブロック１の扶壁３の後端面１９の小孔２０にインサート２２を埋設し、インサート２２に裏型枠２４の控え距離に合わせたセパレータ２３を取り付け、そのセパレータ２３の後端に裏型枠２４を取り付け加工して、擁壁用ブロック１に裏型枠２４を前壁２の化粧面と所定間隔を開けて平行に取り付け、また前壁２下方の水抜き孔１２と該水抜き孔１２より上方に位置する裏型枠２４に貫設した水抜き孔とを水抜きパイプ２５で連結し、裏込砕石部の水抜きを形成して、裏型枠２４と水抜き付の擁壁用ブロック１である仮組立体２１が形成でき、
　次に、仮組立体２１を法面２６の前方に設けた基礎２７に化粧面を前方に向けて据え付け、その後、擁壁用ブロック１内にコンクリートを胴込めし、かつ、擁壁用ブロック１と裏型枠２４の間にコンクリート２８を打設し、裏型枠２４と法面２６の間に裏込砕石２９を投入して、擁壁用ブロック１の１段分の擁壁が完成し、
　その上にさらに２段目の仮組立体２１ａを化粧面を揃えて据え付け、この状態で２段目の仮組立体２１ａの裏型枠２４ａは、１段目の仮組立体２１の裏型枠２４と同一面を形成し、その後、擁壁用ブロック１、１ａと裏型枠２４、２４ａとの間にコンクリート２８ａを打設し、裏型枠２４、２４ａと法面２６との間に裏込砕石２９ａを充填することで２段分の擁壁が完成し、
　同様の作業を順次上段に繰り返すことで任意の高さの擁壁を施工できるもので、
　裏型枠２４、２４ａは、耐腐食性で、強度があり、加工が容易で、軽量であって、撤去せず埋設して埋め捨てとするものである、擁壁用ブロック。」
　
（２）原審の拒絶の理由で引用された、本願の出願日前に頒布された刊行物である特開平１０−１７６４１７号公報（以下「引用例２」という。）には、図面と共に次の事項が記載されている。
　ア　「【発明の詳細な説明】
【０００１】
【発明の属する技術分野】本発明は、コンクリート工事において使用される軽量型枠材に関する。
【０００２】
【従来の技術】
コンクリート構造物を構築する際のコンクリート打設工事
型枠
そのパネル部分（せき板）には合板、鋼板等が主として用いられている
【０００３】ところが、
合板では、コンクリートの水分等により変質しやすく
一方、鋼板では、錆による腐食の問題があ
【０００４】
これらに対して、近年では合成樹脂製又はＦＲＰ製の成形体からなる型枠材が
強度的に優れ、また腐食等の問題がなく、近年ではその使用が増加しつつある
【０００５】
【発明が解決しようとする課題】しかしながら、これらの型枠材においても、なお改善の余地がある。すなわち、合成樹脂製又はＦＲＰ製の成形体からなる型枠材は、
鋼板等に比べて軽量化されているものの、やはり必要最小限の強度をもたせるためには一定の厚みが要求される
これらの型枠材の重量では専門職人の負担が依然として大きい
さらに軽量化された型枠材の開発が急務とされている
【０００６】・・・（省略）・・・
【０００７】従って、本発明は、
コンクリート工事を低コスト化できる軽量型枠材を提供することを主な目的と
　
　イ　「【００２５】図２は、図１における発泡体の代わりに
角ばった波形のポリプロピレン製板（４）を
パネル部となるポリプロピレン製板（５）、（５）により狭持
波形ポリプロピレン製板により、２枚のポリプロピレン製板（５）、（５）の間に空隙（７）が形成されている
　
　ウ　「【００２７】
【発明の効果】本発明の型枠材は、空隙を形成し得る芯材を合成樹脂製板で狭持した、いわばサンドイッチ構造をとるので、
従来の型枠材と同等又はそれ以上の強度を維持しつつ、従来品に比べて軽量化を図ることができ
【００２８】また、天然資材である合板等を用いないので環境保全に貢献できると同時に、合成樹脂製板をパネル部とすることから剥離性にも優れ、
転用回数も著しく向上できる
　
　エ　上記アないしウからみて、引用例２には以下の発明（以下、「引用発明２」という。）が記載されているものと認める。
　「コンクリート構造物を構築する際のコンクリート打設工事の型枠において、そのパネル部分（せき板）には合板、鋼板等が主として用いられているが、合板では、コンクリートの水分等により変質しやすく、一方、鋼板では、錆による腐食の問題があり、
　これらに対し近年では、合成樹脂製又はＦＲＰ製の成形体からなる型枠材が、強度的に優れ、また腐食等の問題がなく、近年ではその使用が増加しつつあるところ、
　鋼板等に比べて軽量化されているものの、やはり必要最小限の強度をもたせるためには一定の厚みが要求されるが、これらの型枠材の重量では専門職人の負担が依然として大きいので、さらに軽量化された型枠材の開発が急務とされていることから、
　コンクリート工事を低コスト化できる軽量型枠材を提供することを主な目的とし、
　角ばった波形のポリプロピレン製板（４）を、パネル部となるポリプロピレン製板（５）、（５）により狭持して、波形ポリプロピレン製板（４）により、２枚のポリプロピレン製板（５）、（５）の間に空隙（７）が形成されることにより、
　従来の型枠材と同等又はそれ以上の強度を維持しつつ、従来品に比べて軽量化を図ることができ、転用回数も著しく向上できる、型枠。」
　
（３）本願の出願日前に頒布された刊行物である特開平５−３３３８６号公報（以下「引用例３」という。）には、図面と共に次の事項が記載されている。（下線は当審で付した。以下同様。）
　
　ア　「【発明の詳細な説明】
【０００１】
【産業上の利用分野】本発明は、建築分野における
鉄筋コンクリート構造物用の捨型枠
　
　イ　「【００１５】
【実施例】以下、図面について本発明の実施例を詳細に説明する。図１は本発明の鉄筋コンクリート構造物用の捨型枠の第１実施例を示す斜視図で、図中
14
硬質合成樹脂を材質とする合成樹脂製段ボール状中空パネルであ
該パネルは
偏平なもので正面板と下面板とを連結する縦のリブ15で内部空間を平行に仕切り、一方向への空洞16を多数形成したもので
ポリプロピレン
を材質とし
　
　ウ　「【００３１】
【発明の効果】以上述べたように本発明の鉄筋コンクリート構造物用の捨型枠は、
捨型枠として型枠撤去作業を軽減し、もしくはなくす場合に、軽量であり、かつ組立も簡単で
また、穴開け等の加工も容易なので施工の省力化が実現できる
　
　エ　上記アないしウからみて、引用例３には以下の発明（以下、「引用発明３」という。）が記載されているものと認める。
「硬質合成樹脂を材質とする合成樹脂製段ボール状中空パネルであって、該パネルは偏平なもので正面板と下面板とを連結する縦のリブ15で内部空間を平行に仕切り、一方向への空洞16を多数形成したもので、ポリプロピレンを材質とした、捨型枠として型枠撤去作業を軽減し、もしくはなくす場合に、軽量であり、かつ組立も簡単で、また、穴開け等の加工も容易なので施工の省力化が実現できる、鉄筋コンクリート構造物用の捨て型枠。」
　
４　対比
　そこで、本件補正発明と引用発明１を対比する。
　
　ア　引用発明１の「上部が後方に傾斜した横長の長方形板状の前壁２」は、本願補正発明の「上部が後方に傾斜した横長の長方形の板状の前壁」に相当する。
　引用発明１の「前壁２後面の左右から後方に垂直に突設する左右の扶壁３」と、本願補正発明の「前壁後面の左半部の中間及び右半部の中間から後方に突き出た左右の垂直な扶壁」とは、「前壁後面の左半部及び右半部から後方に突き出た左右の垂直な扶壁」で共通している。
　引用発明１の「垂直に突設する」「左右の扶壁３の後端下部間に連結した補強梁」は、本願補正発明の「左右の垂直な扶壁の後端の下部間を連結した補強梁」に相当する。
　
　イ　引用発明１の「前壁２、扶壁３及び補強梁４はコンクリートにより薄型部材に形成し」は、本件補正発明の「前壁、扶壁及び補強梁はコンクリートにより形成の薄型部材からなり」に相当し、以下同様に、
「前壁と平行に貫通させ」た「扶壁３」の「大穴１１」は、「扶壁に配設の前壁と平行な向きに貫通の大穴」に、
「前壁の下端部に」「貫通し」た「水抜き孔１２」は、「前壁に配設の下半部に貫通の水抜き孔」に、それぞれ相当する。
　
　ウ　引用発明１の扶壁３の下部は、擁壁用ブロック１の下部といえ、また本件補正発明の補強梁も、擁壁用ブロックの下部にあるといえる。とすれば、引用発明１の「左右の」「扶壁３の後端面１９にはセパレータ挿着用インサートを埋め込むための小孔２０をそれぞれ上中下の３か所に形成され、一番下の小孔２０は、補強梁４の近傍で補強梁４と同じ高さにあ」ることと、本願補正発明の「左右の垂直な扶壁の後端の上部及び扶壁の後端の下部に配設の補強梁に小孔をそれぞれ複数有」することとは、「左右の垂直な扶壁の後端の上部及び擁壁用ブロックの下部に小孔をそれぞれ複数有」することで共通している。
　
　エ　引用発明１の「扶壁３の後端面１９の小孔２０にインサート２２を埋設し、インサート２２に裏型枠２４の控え距離に合わせたセパレータ２３を取り付け、そのセパレータ２３の後端に裏型枠２４を取り付け加工して、擁壁用ブロック１に裏型枠２４を前壁２の化粧面と所定間隔を開けて平行に取り付け」る構成は、本願補正発明の「小孔にインサートを埋設し、この埋設したインサートに後方へ延びる棒状のセパレータの先端を挿着し、該セパレータの後部に該横長の長方形の板状の前壁と平行」な「埋め残し用裏型枠を有している」構成に相当する。
　
　オ　引用発明１の「裏型枠２４」は、「裏型枠２４と水抜き付の擁壁用ブロック１である」「仮組立体２１を法面２６の前方に設けた基礎２７に化粧面を前方に向けて据え付け、」「その上にさらに２段目の仮組立体２１ａを化粧面を揃えて据え付け、この状態で２段目の仮組立体２１ａの裏型枠２４ａは、１段目の仮組立体２１の裏型枠２４と同一面を形成し、」「同様の作業を順次上段に繰り返す」ことからすると、「化粧面」つまり「前壁２」と、「裏型枠２４」とは、合同の形状であることは、明らかである。
　同じく「裏型枠２４」は、「強度があ」るので、「剛性を有する」ことも明らかである。
　
　カ　上記アないしオからみて、本件補正発明と引用発明１とは、
「上部が後方に傾斜した横長の長方形の板状の前壁と、前壁後面の左半部及び右半部から後方に突き出た左右の垂直な扶壁と、左右の垂直な扶壁の後端の下部間を連結した補強梁を有する擁壁用ブロックからなり、該擁壁用ブロックの前壁、扶壁及び補強梁はコンクリートにより形成の薄型部材からなり、該扶壁に配設の前壁と平行な向きに貫通の大穴と、該前壁に配設の下半部に貫通の水抜き孔と、左右の垂直な扶壁の後端の上部及び擁壁用ブロックの下部に小孔をそれぞれ複数有し、該小孔にインサートを埋設し、この埋設したインサートに後方へ延びる棒状のセパレータの先端を挿着し、該セパレータの後部に該横長の長方形の板状の前壁と平行で、かつ、該長方形の板状の前壁と合同の形状の剛性を有する埋め残し用裏型枠を有している擁壁用ブロック。」で一致し、以下の点で相違している。
　
（相違点１）扶壁が、本願補正発明では、前壁後面の左半部の中間及び右半部の中間から後方に突き出ているのに対し、引用発明１では、前壁２左右端から前壁２の横長さの４分の１の長さまでの中央よりの任意の位置に突設している点。
（相違点２）下部の小孔が、本願補正発明では、扶壁の後端の下部に配設の補強梁に有しているのに対し、引用発明１では、扶壁３の後端の下部であって、補強梁４と同じ高さに設けられている点。
（相違点３）裏型枠が、本願補正発明は、ポリプロピレン複合板であるのに対し、引用発明１は、その様なものか不明な点。
　
５　判断
　上記相違点１〜３について検討する。
（１）相違点１
　引用発明１の「扶壁３」は、「前壁左右端から前壁の横長さの４分の１の長さまでの
中央よりの
　
（２）相違点２
　引用発明１の「小孔」は、「扶壁３の後端面１９には」「上中下の３か所に形成され、一番下の小孔２０は、補強梁４の近傍で補強梁４と同じ高さにあ」るが、当該一番下の小孔２０は、その機能を考慮すれば、必ず扶壁３に形成されなければならない理由はなく、よって、補強梁４の近傍にある小孔を、補強梁４側に設けるものに替えることは、当業者が容易に成し得たことである。
　
（３）相違点３
　ア　ポリプロピレン複合板について、本願明細書の段落【００２３】には、「・・・ポリプロピレン複合板１３は、図２に示すように、一体押出しで成形された中空室隔壁板１３ａと複合板表板１３ｂと複合板裏板１３ｃを有する。・・・」と記載されている。
　
　イ　次に引用例２には、上記「３（２）エ」で示した引用発明２が記載されている。
　上記アによれば、引用発明２の「角ばった波形のポリプロピレン製板（４）を、パネル部となるポリプロピレン製板（５）、（５）により狭持して、波形ポリプロピレン製板（４）により、２枚のポリプロピレン製板（５）、（５）の間に空隙（７）が形成される」「型枠」と、本件補正発明の「ポリプロピレン複合板からなる埋め残し用裏型枠」とは、「ポリプロピレン複合板からなる型枠」で共通している。
　そして、引用発明１と引用発明２とは、共にコンクリート構造物の型枠であって、腐食性，強度，軽量化の向上を目的とするものであるから、引用発明１の裏型枠を、引用発明２の型枠の構造に替えることにより、相違点３に係る本件補正発明の構成とすることは、当業者が容易に成し得たことである。
　
　ウ　請求人は、引用発明２の型枠は、埋め捨てするものではないので耐久性や腐食性を考慮していないことから、引用発明２の型枠の構成を、埋め捨てする引用発明１の裏型枠に適用することは容易ではない旨、またポリプロピレン複合板は柔軟性によって、亀裂等を防ぐことができる旨、主張している。
　しかしながら、引用発明２の型枠も、引用発明１の裏型枠と同様に、腐食等の問題を解決するものであるので、当業者であれば、引用発明２の型枠の構成を引用発明１の裏型枠に適用することが容易でないとはいえない。
　また引用発明１の裏型枠は、擁壁ブロック側にコンクリートが打設され、法面側に砕石が投入されるので、裏型枠の両面共に荷重がかかり、片面のみから荷重がかかるものではない。そうすると、ポリプロピレン複合板に柔軟性という利点があるとしても、引用発明１に適用したことにより顕著な効果を奏するものとは認められない。なお、ポリプロピレン複合板を用いることによる作用・効果も、本出願前に当業者に知られたことと認められる。
　したがって、請求人の主張は採用することができない。
　
　エ　なお、原審の拒絶の理由に用いられた刊行物ではないが、引用例３には、上記「３（３）エ」で示した引用発明３が記載されており、引用発明３の「ポリプロピレンを材質とした」「段ボール状中空パネルであ」る「捨て型枠」が、本件補正発明の「ポリプロピレン複合板からなる埋め残し型枠」に相当する。
　引用発明１の埋め残し用裏型枠と、引用発明３の捨て型枠とは、埋め残す型枠である点で共通しているから、引用発明３の捨て型枠の構成を、引用発明１の埋め残し用裏型枠に適用することにより、上記相違点３に係る本件補正発明の構成とすることも、当業者が容易に成し得たことである。
　
（４）効果の検討
　本件補正発明の効果は、上記引用発明１及び引用発明２または引用発明３の奏する効果から、当業者が容易に予測できたことである。
　
６　まとめ
　以上のとおりであるから、本件補正発明は、引用発明１及び引用発明２または引用発明３に基いて、当業者が容易に発明をすることができたものであるから、特許法第２９条第２項の規定により特許出願の際独立して特許を受けることができないものである。
　よって本件補正は、特許法第１７条の２第６項において準用する同法第１２６条第７項の規定に違反するので、同法第１５９条第１項の規定において読み替えて準用する同法第５３条第１項の規定により却下すべきものである。
　
　
第３　本願発明について
１　本願発明
　本件補正は上記第２のとおり却下されたので、本願の請求項１ないし６に係る発明は、平成２４年１０月２９日付け手続補正書により補正された特許請求の範囲の請求項１ないし６に記載された事項によって特定されるものであるところ、その請求項１に係る発明（以下「本願発明」という。）は、上記「第２〔理由〕１（１）」に本件補正前の請求項１として記載したとおりのものである。
　
２　引用例
　原査定の拒絶の理由に引用された引用例及びその記載事項は、上記「第２〔理由〕３（１）及び（２）」に記載したとおりである。
　
３　対比・判断
　本願補正発明は、上記「第２〔理由〕１（２）」のとおり、本願発明の発明特定事項を限定したものである。
　そうすると、本願発明の構成要件をすべて含み、さらに限定を付加したものに相当する本願補正発明が、上記「第２〔理由〕６」に記載したとおり、少なくとも引用発明１及び引用発明２に基いて、当業者が容易に発明をすることができたものであるから、本願発明も同様の理由により、少なくとも引用発明１及び引用発明２に基いて、当業者が容易に発明をすることができたものである。
　
４　むすび
　以上のとおり、本願発明は、少なくとも引用発明１及び引用発明２に基いて、当業者が容易に発明をすることができたものであるから、特許法第２９条第２項の規定により特許を受けることができないものであり、本願は、その他の請求項に係る発明について検討するまでもなく、拒絶すべきものである。
　よって、結論のとおり審決する。